【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
第１の塊を第２の塊に取り付けるためのデバイスであって、
ベース軸、第１の端部、および第２の端部を有するベース、
第１の脚部、
を含み、
第１の脚部は、ベースの第１の端部から延びており、デバイスが第１の形状構成および第２の形状構成を有し、デバイスがベース軸に対して回転させられると、デバイスは第１の形状構成にある、
デバイス。
【請求項２】
第２の脚部をさらに含み、第２の脚部がベースの第２の端部から延びている、請求項１に記載のデバイス。
【請求項３】
第１の塊を第２の塊に取り付けるためのデバイスであって、
ベース軸、第１の端部、および第２の端部を有するベース、
第１の長手方向の軸および第１の脚部長さを有する第１の脚部、および
第２の長手方向の軸および第２の脚部長さを有する第２の脚部
を含み、
第１の脚部がベースの第１の端部に取り付けられており、第２の脚部がベースの第２の端部から延びており、
第１の脚部長さが第２の脚部長さよりも長い、
デバイス。
【請求項４】
デバイスは、第１の形状構成および第２の形状構成を有し、ベースがベース軸に対して回転させられると、デバイスが第１の形状構成にある、請求項３に記載のデバイス。
【請求項５】
第１の脚部長さが、第２の脚部長さの３倍以上である、請求項３に記載のデバイス。
【請求項６】
第１の塊を第２の塊に取り付けるデバイスであって、
ベース径、第１の端部、および第２の端部を有する、湾曲したベース、
第１の長手方向の軸および第１の脚部長さを有する第１の脚部、および
第２の長手方向の軸および第２の脚部長さを有する第２の脚部
を含み、
第１の脚部が、ベースの第１の端部から延びており、第２の脚部が、ベースの第２の端部から延びており、
デバイスが弛緩した形状構成を有し、弛緩した形状構成において、第１の脚部が第２の脚部と、脚部角度で交差し、脚部角度が１８０度未満である、
デバイス。
【請求項７】
脚部角度は９０度以下である、請求項６に記載のデバイス。
【請求項８】
脚部角度は６０度以下である、請求項６に記載のデバイス。
【請求項９】
ベース径が、０．１３インチ以下である、請求項６に記載のデバイス。
【請求項１０】
ベース径が、０．０８インチ以上である、請求項９に記載のデバイス。
【請求項１１】
２つの塊を接合するための装置であって、
プロテーゼを組織に固定するための、弾性材料から成るアタッチメントデバイス（２）、および
当該デバイスを展開させるためのツール、
を含み、
当該アタッチメントデバイスが、
ベース径、第１の端部、および第２の端部を有する、湾曲したベース（４）、
第１の長手方向の軸（２４）および第１の脚部長さを有する第１の脚部（６）、および
第２の長手方向の軸（２４）および第２の脚部長さを有する第２の脚部（６）
を含み、
第１の脚部が、ベースの第１の端部から延びており、第２の脚部が、ベースの第２の端部から延びており、アタッチメントデバイスの脚部が、展開のいずれの段階でも、デバイスを取り外しかつ再度展開させることを許容する、まっすぐで、とがった端部を有する、先端（８）をさらに含んでおり、
アタッチメントデバイスが第１の形状構成および第２の弛緩した形状構成を有し、第１の形状構成において、ツールにより外力が加えられて、脚部が離れて広がって、デバイスがプロテーゼ経由して組織に押し進められるようにし、第２の形状構成において、第１の脚部は第２の脚部と脚部角度（２０）でもって交差しており、脚部角度は１８０度よりも小さく、外力がデバイスから取り除かれたときに、アタッチメントデバイスが、第１の形状構成から第２の弛緩した形状構成に戻る、
装置。
【請求項１２】
脚部角度が９０度以下である、請求項１１に記載の装置。
【請求項１３】
脚部角度が６０度以下である、請求項１１に記載の装置。
【請求項１４】
ベース径が０．１３インチ以下である、請求項１１〜１３のいずれか１項に記載の装置。
【請求項１５】
ベース径が０．０８インチ以上である、請求項１１〜１３のいずれか１項に記載の装置。
【請求項１６】
先端が、保持デバイス（２９）および保持コーティング（３１）を含み、保持コーティングは、保持コーティングが生分解されるまで、保持デバイスが効果を発揮しないように形成されている、請求項１１〜１５のいずれか１項に記載の装置。
【請求項１７】
綿撒糸（７１）をさらに含み、デバイスが、プロテーゼおよび組織に押し込まれる前に、デバイスが綿撒糸を経由して供給され得る、請求項１１〜１６のいずれか１項に記載の装置。
【請求項１８】
ツールが、デバイスにピボットトルクを加えるように構成されて、脚部（６）が、半径方向に互いから外向きに旋回させられて、第２の弛緩した形状構成から第１の形状構成に至る、請求項１１〜１７のいずれか１項に記載の装置。
【請求項１９】
ツールは、デバイスが所定の展開位置に挿入させられている間、デバイスを第１の形状構成に保持し、その後、デバイスがツールから展開することができるように、構成されている、請求項１１〜１８のいずれか１項に記載の装置。
【請求項２０】
ツールがアンビルを含み、デバイスが、第２の弛緩した形状構成でアンビルの周囲に装着されている、請求項１１〜１９のいずれか１項に記載の装置。
【請求項２１】
ツールが、デバイスの脚部を外向きに回転させて第１の形状構成にし、その後、デバイスを所定の展開位置に挿入させ得るために、摺動体（１２６）およびアンビル（１２２）を含む、請求項１１〜２０のいずれか１項に記載の装置。
【請求項２２】
アンビルを邪魔にならないところにスライドさせ、デバイスを、摺動体を用いてツールの端部の外に押し進めることによって、デバイスがツールから展開させられる、請求項２１に記載の装置。
【手続補正２】
【補正対象書類名】明細書
【補正対象項目名】００２６
【補正方法】変更
【補正の内容】
【００２６】
図４〜図１０は、脚部６および／またはベース４の断面Ａ−Ａの例を示す。脚部６の断面Ａ−Ａは、ベース４の断面と同じであってよく、あるいは異なっていてよい。ベース４および／または脚部６の断面は、それらのそれぞれの長さに沿って変化していてよく、あるいは一定であってよい。図４〜図８は、円形、方形（正方形を含む）、三角形、実質的に平坦、および星形または異形である、断面Ａ−Ａをそれぞれ示す。図９は、長円形の断面Ａ−Ａを示す。短軸３２の長さに対する軸径１８の比は、約１：１〜約２０：１であり得、例えば１０：１であり得る。
【手続補正３】
【補正対象書類名】明細書
【補正対象項目名】００４９
【補正方法】変更
【補正の内容】
【００４９】
図３５は、アタッチメントデバイス２を、矢印５８で示すベーストルクを与えることによって、第１の形状構成にし得ることを示す。第２の脚部６ｂは、それから、矢印７６で示すように、アタッチメントデバイス２から外向きに回転させることができる。
【手続補正４】
【補正対象書類名】明細書
【補正対象項目名】００５１
【補正方法】変更
【補正の内容】
【００５１】
図３７〜図３９は、図１８および図１９に示す、アタッチメントデバイス２を展開させる方法を示す。図３７は、ベース４および先端８を、第１の塊６８に接触させて又はその付近に配置し得ることを示す。図３８は、アーム６をベース軸１２の周囲で、矢印で示すように回転させ得ることを示す。アーム６は回転させられて、アーム６は第１の塊６８に押し込まれる。図３９は、アーム６を、矢印で示すように、ベース軸１２の周囲でさらに回転させ得ることを示す。アーム６は、第２の塊７０内に且つそれを通過するように、押し込まれる。アーム６は、第１の塊６８に再び入ることができる。